(57)【要約】    【課題】この考案は、物体が何れの面のどの方向へ傾斜あるいは転倒したかを物体の傾斜及び転倒検出装置を貼り付けた状態のまま、容易に認識することのできる物体の傾斜及び転倒検出装置を提供する。【解決手段】この発明の物体の傾斜及び転倒検出装置３０では、物体の傾斜あるいは転倒により中央収納部５０から排出された円板体１１を収納する傾斜確認収納部６０，６１を前記中央収納部５０を中心としてその左右にそれぞれ形成するとともに、該傾斜確認収納部６０，６１の前面にれぞれ窓３６，３７を形成し、もって、前記傾斜確認収納部６０，６１の窓３６，３７から円板体１１を確認して物体の傾斜あるいは転倒方向を特定するようにした。  【選択図】  図１４
0003123365.tif 000002
【実用新案登録請求の範囲】
【請求項１】
中央収納部内に収容された円板体であって、物体の傾斜に応じて転動し、前記中央収納部から排出される円板体を使用して物体の傾斜及び転倒を検出するようにした物体の傾斜及び転倒検出装置において、
前記中央収納部から排出された前記円板体を収納する傾斜確認収納部を前記中央収納部を中心としてその左右にそれぞれ形成するとともに、該傾斜確認収納部の前面にれぞれ窓を形成し、
もって前記中央収納部の左右に形成された前記傾斜確認収納部の窓から、該傾斜確認収納部に収納された前記円板体を確認し、物体の傾斜及び転倒を検出するようにしたことを特徴とする物体の傾斜及び転倒検出装置。
【請求項２】
前記中央収納部の上方には、前記中央収納部から排出された前記円板体が前記中央収納部内へ逆戻りすることを規制する、前記中央収納部内へ向け凸形状に形成された逆戻り規制ガイドが配設されていることを特徴とする請求項１に記載の物体の傾斜及び転倒検出装置。
【考案の詳細な説明】
【技術分野】
【０００１】
この考案は、箱体等の物体の傾斜あるいは転倒を検出する物体の傾斜及び転倒検出装置に関し、特に物体が傾斜あるいは転倒した方向を正確に表示するようにした物体の傾斜及び転倒検出装置に関する。
【背景技術】
【０００２】
従来から、傾斜あるいは転倒により損傷を受けやすい機器、例えばハードディスク等の精密機器を搬送する場合は、その精密機器を多数収容した箱体(物体)に物体の傾斜及び転倒を検出する物体の傾斜及び転倒検出装置を配設するようにしていた。
【０００３】
なお、このような物体の傾斜及び転倒検出装置としては、米国特許RE第３２５７０号に記載されたものがある。
【０００４】
図１は、従来の物体の傾斜及び転倒検出装置１をハードディスク等の精密機器を多数収容した箱体２(物体)に配設した状態を示す概念斜視図である。
【０００５】
なお、図１では、箱体２の傾斜あるいは転倒方向を考慮して、箱体２の各側面に物体の傾斜及び転倒検出装置１をそれぞれ配設している。
【０００６】
この従来の物体の傾斜及び転倒検出装置(以下単に検出装置と言う)は、図２の正面図及びそのＡＡ概念断面図で示す図３のように、正面が矩形状で、しかも断面がコの字形状の凹部４が形成された本体３と、この断面がコの字形状に形成された凹部４を背面から覆う蓋体５とから構成され、この蓋体５背面と本体３のフランジ部３aには、図１の箱体２の各側面に検出装置１を貼着するための両面テープ等の貼着手段６が配設されている。
【０００７】
なお、上述した本体３及び蓋体５ともプラスチック等の合成樹脂で形成されている。
【０００８】
一方、図３のＢＢ断面で示す図４のように、上述した本体３の凹部４内には、当該本体３の傾斜状態を検出する傾斜検出手段１０が配設されている。
【０００９】
この傾斜検出手段１０は、本体３の傾斜状態に応じて転動する円板体１１と、この円板体１１をガイドするガイド部材１２とから構成されている。
【００１０】
この、このガイド部材１２は円板体１１の初期位置において、その下方を支える基準ガイド１３と、本体３が左右に傾斜した際に、円板体１１の転動をガイドする一対の傾斜ガイド１４、１５と、円板体１１の一定以上の移動を阻止する規制ガイド１６とから構成されている。
【００１１】
なお、この規制ガイド１６と一対の傾斜ガイド１４、１５の各先端１４a、１５aとの間には円板体１１の転動を許容する排出口１７、１８が形成されている。
【００１２】
なお、上述した円板体１１は金属板で形成され、また各ガイド１３、１４、１５、１６は本体３と一体に形成されたリブにより構成されている。
【００１３】
なお、図４で、符号２０は本体３に形成された円形の透明部分で、この透明部分２０は、初期位置における円板体１１の存在を、図２に示す本体３の正面から容易に確認するために形成されたものである。
【００１４】
このような従来の検出装置１によると、図１における箱体２が傾斜あるいは転倒し、箱体２に貼着された検出装置１の本体３が、図５の矢印Ｃで示すように傾斜すると、図４の初期位置にあった円板体１１は傾斜ガイド１４に沿って転動し、このため図５で示すように、円板体１１は傾斜ガイド１４と規制ガイド１６との間の排出口１７をすり抜けて下方へ落下する。
【００１５】
このように、円板体１１が規制部材１２の排出口１７から落下すると、当該円板体１１は本体３の透明部分２０からその姿を確認することのできない位置に移動することとなる。
【００１６】
その後、転倒した箱体２を図１の初期位置に戻し、それにより検出装置１の本体３を図６に示す初期位置に戻しても、円板体１１は基準ガイド１３と一対の傾斜ガイド１４、１５とに規制された初期位置に復帰することはなく、そのため透明部分２０から円板体１１の姿を確認することができないこととなる。
【００１７】
そのため、一旦箱体２が転倒した後に、当該箱体２を元の位置に復帰させてもオペレータが検出装置１の透明部分２０を観察すれば、当該透明部分２０から円板体１１の存在を確認することができないため、その箱体２が一旦転倒あるいは傾斜した事実を明確に確認することができる。
【特許文献１】米国特許RE第３２５７０号
【考案の開示】
【考案が解決しようとする課題】
【００１８】
ところで、上述した従来の物体の傾斜及び転倒検出装置１では、オペレータによる本体３の透明部分２０の観察によって円板体１１が確認できれば箱体２が転倒あるいは傾斜しなかった事実を認識することができ、また円板体１１が確認できなければ、その箱体２が一旦転倒あるいは傾斜した事実を認識することはできる。
【００１９】
しかし、上述した従来の物体の傾斜及び転倒検出装置１では、その箱体２の転倒した事実を確認することはできても、何れの方向にその箱体２が転倒したかを確認することができない難点がある。
【００２０】
このことは、例えば物体の搬送中に起きた転倒事故であっても、四面のどの方向に転倒事故が発生したかを特定することができないことを意味する。
【００２１】
この考案は、上述した事情に鑑み、物体が何れの面のどの方向へ傾斜あるいは転倒したかを物体の傾斜及び転倒検出装置を貼り付けた状態のまま、容易に認識することのできる物体の傾斜及び転倒検出装置を提供することを目的とする。
【課題を解決するための手段】
【００２２】
上述した課題を解決するため、請求項１に記載した考案では、中央収納部内に収容された円板体であって、物体の傾斜に応じて転動し、前記中央収納部から排出される円板体を使用して物体の傾斜及び転倒を検出するようにした物体の傾斜及び転倒検出装置において、前記中央収納部から排出された前記円板体を収納する傾斜確認収納部を前記中央収納部を中心としてその左右にそれぞれ形成するとともに、該傾斜確認収納部の前面にれぞれ窓を形成し、もって前記中央収納部の左右に形成された前記傾斜確認収納部の窓から、該傾斜確認収納部に収納された前記円板体を確認し、物体の傾斜及び転倒を検出するようにしている。
【００２３】
また請求項２に記載した考案では、前記中央収納部の上方には、前記中央収納部から排出された前記円板体が前記中央収納部内へ逆戻りすることを規制する、前記中央収納部内へ向け凸形状に形成された逆戻り規制ガイドを配設するようにしている。
【考案の効果】
【００２４】
請求項１に記載した考案によると、中央収納部から排出された円板体を収納する傾斜確認収納部を前記中央収納部を中心としてその左右にそれぞれ形成するとともに、該傾斜確認収納部の前面にれぞれ窓を形成し、もって、前記中央収納部の左右に形成された前記傾斜確認収納部の窓から、該傾斜確認収納部に収納された前記円板体を確認できるようにしているから、このような物体の傾斜及び転倒検出装置を箱体の二面に配設することにより箱体等の物体の傾斜あるいは転倒が四面のうちの何れの方向に生じたかを傾斜確認収納部の窓から見える円板体を確認することにより容易に認識することができ、箱体を破壊あるいは開梱するによって事故原因の特定作業が困難となる以前に箱体の内部に収容された精密機器等の物品の損傷事故の解析を可能にして、搬送中に発生した故障要因の改善対策を迅速に行うことができる。
【００２５】
また、請求項２に記載した考案によると、中央収納部の上方には、前記中央収納部から排出された円板体が前記中央収納部内へ逆戻りすることを規制する、前記中央収納部内へ向け凸形状に形成された逆戻り規制ガイドを配設するようにしているから、逆戻り規制ガイドにより傾斜あるいは転倒した方向と逆に傾斜あるいは転倒させても円板体が中央収納部内の元の位置に容易に戻ることはなく、傾斜または転倒事故の発生を見逃すことはない。
【考案を実施するための最良の形態】
【００２６】
以下、この考案に係わる物体の傾斜及び転倒検出装置の一実施例を詳述する。
【００２７】
図７はこの考案に係わる物体の傾斜及び転倒検出装置３０の正面図で、図１乃至図６と同一部分を同一符号で示す。
【００２８】
この物体の傾斜及び転倒検出装置(以下単に検出装置と言う)３０も、図７の正面図及びそのＤＤ概念断面図で示す図８のように、従来と同様に、正面が矩形状で、しかも断面がコの字形状に形成された凹部３２を有する本体３１と、この凹部３２を背面から覆う蓋体３３とから構成されている。
【００２９】
そして、この蓋体３３背面と本体３１のフランジ部３１aとには、図１の箱体２の各側面に検出装置３０を貼着するための両面テープ等の貼着手段３４が配設されている。
【００３０】
なお、上述した本体３１及び蓋体３３はプラスチック等の合成樹脂で形成されている。
【００３１】
一方、図８のＥＥ断面で示す図９のように、上述した本体３１の凹部３２内には、当該本体３１の傾斜状態を検出する従来と同様の傾斜検出手段１０が配設されている。
【００３２】
この傾斜検出手段１０は、本体３１の傾斜状態に応じて転動する円板体１１と、この円板体１１をガイドするガイド部材１２から構成され、この、このガイド部材１２も円板体１１の初期位置において、その下方を支える基準ガイド１３と、本体３１が左右に傾斜した際に、円板体１１の転動をガイドする一対の傾斜ガイド１４、１５と、円板体１１の逆戻りの移動を阻止する逆戻り規制ガイド４２とから構成されている。なお、この逆戻り規制ガイド４２と基準ガイド１３、および一対の傾斜ガイド１４、１５とにより円板体１１の中央収納部５０が画成されている。また、上述した逆戻り規制ガイド４２の中央部には、前記中央収納部５０へ向けて凸部４２ａが形成されている。
【００３３】
また、この逆戻り規制ガイド４２と一対の傾斜ガイド１４、１５の各先端１４a、１５aとの間には円板体１１の転動を許容する排出口１７、１８が形成されている。
【００３４】
なお、上述した円板体１１は金属板で形成され、また各ガイド１３、１４、１５、逆戻り規制ガイド４２は本体３１と一体に形成されたリブにより構成されている。
【００３５】
次に、上述した検出装置３０の作用を説明し、併せて構成をさらに詳細に説明する。
【００３６】
まず、オペレータは検出装置３０を図１で示す箱体２の各側側面に貼着し、次に、図１０で示すように、円板体１１に嵌挿した仮止めピン４０を矢印Ｇのように挿入孔４３から引く抜くと、図１０及び図１０のＦＦ断面で示す図１１のように、仮止めピン４０に位置決め支承された円板体１１は基準ガイド１３と一対の傾斜ガイド１４、１５との間に囲まれた領域、即ち中央収納部５０に配置される。
【００３７】
なお、図１１で示すように、本体３１の凹部３２内には前記中央収納部５０を中心としてその左右にそれぞれ傾斜確認収納部６０，６１が形成され、その前面にはそれぞれ透明な横長の窓３６，３７が形成されている。
【００３８】
このような初期準備作業が終了した後、箱体２の搬送中に何等かの要因で箱体２が転倒すると、同時に図１２で示すように、箱体２に貼着された検出装置３０の本体３１が矢印Ｃで示すように傾斜する。
【００３９】
このように、検出装置３０の本体３１が矢印Ｃで示すように傾斜すると、図１１の初期位置、即ち中央収納部５０内にあった円板体１１は傾斜ガイド１４に沿って転動し、このため図１２で示すように、円板体１１は傾斜ガイド１４と逆戻り規制ガイド４２との間の排出口１７をすり抜けて下方へ落下する。
【００４０】
傾斜ガイド１５と逆戻り規制ガイド４２との間の排出口１７をすり抜けて下方へ落下した円板体１１は中央収納部５０に形成された透明な孔３５からその姿を確認することのできない位置、即ち傾斜確認収納部６１に移動することとなる。
【００４１】
その後、転倒した箱体２を初期位置に戻し、それにより検出装置３０の本体３１を図１３に示す初期位置に戻しても、逆戻り規制ガイド４２の凸部４２ａにより円板体１１は基準ガイド１３と一対の傾斜ガイド１４、１５とに規制された初期位置、即ち中央収納部５０内に復帰することはなく、そのため孔３５から円板体１１の姿を確認することができないこととなる。即ち、円板体１１は傾斜確認収納部６１に移動し、そこに収納されることとなる。
【００４２】
そのため、一旦箱体２が傾斜あるいは転倒した後に、当該箱体２を元の位置に復帰させても、図１４で示すように、オペレータが検出装置３０の孔３５を観察すれば、当該孔３５から円板体１１の存在を確認することができないため、その箱体２が一旦転倒した事実を明確に確認することができる。
【００４３】
さらに、オペレータが検出装置３０に形成された傾斜確認収納部６０，６１の窓３６，３７を観察すれば、当該窓３６、３７のいずれか一方から円板体１１の存在を確認することができるため、その箱体２が転倒した方向を明確に確認することができる。即ち、図１４の左側の窓３６から円板体１１が確認できれば、物体は左側に傾斜あるいは転倒したことが明瞭に認識され、また実施例のように右側の窓３７から円板体１１が確認できれば物体は右側に傾斜あるいは転倒したことが明瞭に認識されることとなり、このため傾斜及び転倒検出装置３０を図１に示す箱体２の二面に配設することにより箱体２等の物体の傾斜あるいは転倒が四面のうちの何れの方向に生じたかを傾斜確認収納部６０，６１の窓３６、３７から見える円板体１１を確認することにより容易に認識することができ、箱体２を破壊あるいは開梱するによって事故原因の特定作業が困難となる以前に箱体２の内部に収容された精密機器等の物品の損傷事故の解析を可能にして、搬送中に発生した故障要因の改善対策を迅速に行うことができることとなる。
【産業上の利用可能性】
【００４４】
この考案は、物体が何れの面のどの方向へ傾斜あるいは転倒したかを、物体の傾斜及び転倒検出装置を貼り付けた状態のまま、容易に認識することのできる物体の傾斜及び転倒検出装置に適している。  
【図面の簡単な説明】
【００４５】
【図１】図１は物体の傾斜及び転倒検出装置を箱体に取り付けた状態を示す概念斜視図。
【図２】図２は従来の物体の傾斜及び転倒検出装置の正面図。
【図３】図３図２のＡＡ断面図。
【図４】図４は図３のＢＢ断面図。
【図５】図５は従来の物体の傾斜及び転倒検出装置の作用を示す要部断面図。
【図６】図６は従来の物体の傾斜及び転倒検出装置の正面図である。
【図７】図７は、この考案に係わる物体の傾斜及び転倒検出装置の概念正面図。
【図８】図８は図７のＤＤ断面図。
【図９】図９は図８のＥＥ断面図。
【図１０】図１０は、この考案に係わる物体の傾斜及び転倒検出装置の概念断面図。
【図１１】図１１は図１０のＦＦ断面図。
【図１２】図１２はこの考案に係わる物体の傾斜及び転倒検出装置の作用を示す要部断面図。
【図１３】図１３はこの考案に係わる物体の傾斜及び転倒検出装置の作用を示ず要部断面図。
【図１４】図１４はこの考案に係わる物体の傾斜及び転倒検出装置の作用を示す正面図。
【符号の説明】
【００４６】
１１...円板体
３０...物体の傾斜及び転倒検出装置
３６，３７...窓
４２...逆戻り規制ガイド
４２ａ...凸部
５０...中央収納部
６０，６１...傾斜確認収納部
【図１】
0003123365.tif 000003
【図２】
0003123365.tif 000004
【図３】
0003123365.tif 000005
【図４】
0003123365.tif 000006
【図５】
0003123365.tif 000007
【図６】
0003123365.tif 000008
【図７】
0003123365.tif 000009
【図８】
0003123365.tif 000010
【図９】
0003123365.tif 000011
【図１０】
0003123365.tif 000012
【図１１】
0003123365.tif 000013
【図１２】
0003123365.tif 000014
【図１３】
0003123365.tif 000015
【図１４】
0003123365.tif 000016